(57)【要約】【課題】配置面積が小さくてすみ、しかもサイクロン集塵とバグフィルタ集塵の両方の集塵能力を十分に活かして効率の良い集塵を行なうことができるとともに、バグフィルタの再生時に前記バグフィルタから落下した粉塵を効率良く排出することができる集塵装置を提供する【解決手段】下端に粉塵排出口２を有し、上端部に、内周面の接線付近の方向から内部に空気を吸引する吸気口３が設けられたサイクロン筒１の上方に、上端部に排気口５を有するケーシング４を配置し、サイクロン筒１の上端側に、上下端が開口するとともに下端から上端に向かって拡開する逆錐状筒体からなるホッパ部材８を、その外周面とサイクロン筒１の内周面との間に上端が閉塞された環状空間を形成し、且つ下端を吸気口３よりも下方においてサイクロン筒１内に連通させ、上端をケーシング４内に連通させて配置し、ケーシング４内にバグフィルタ１２を配置した。【選択図】図１
2006043561.tif 000002
【特許請求の範囲】
【請求項１】
下端に粉塵排出口を有し、上端部に、内周面の接線付近の方向から内部に空気を吸引する吸気口が設けられたサイクロン筒と、上端部に排気口を有し、前記サイクロン筒の上方に配置されたケーシングと、上下端が開口するとともに下端から上端に向かって拡開する逆錐状筒体からなり、前記サイクロン筒の上端側に、前記サイクロン筒の内周面との間に上端が閉塞された環状空間を形成し、且つ下端を前記吸気口よりも下方において前記サイクロン筒内に連通させ、上端を前記ケーシング内に連通させて配置されたホッパ部材と、前記ケーシング内に配置されたバグフィルタとを備え、
前記ケーシングの排気口からの強制排気により前記サイクロン筒内に前記吸気口から粉塵を含んだ空気を吸引し、前記サイクロン筒の内周面に沿って旋回する空気中の粗塵を遠心力により分離するサイクロン集塵と、前記サイクロン筒内から前記ホッパ部材内を通って前記ケーシング内に吸引された前記空気中の残留粉塵を前記バグフィルタにより捕集するバグフィルタ集塵とを行なうことを特徴とする集塵装置。
【請求項２】
バグフィルタは、その一端の口部から内部に流入し、外面から外部に流出する空気流の風圧により緊張され、無風圧状態で自重により挫屈する可撓性フィルタであり、その口部を下方に向けてケーシング内に配置されていることを特徴とする請求項１に記載の集塵装置。
【請求項３】
ケーシングは、平面形状が四角形で下面が開口する角筒状ケースからなっており、ホッパ部材は、下端部が逆円錐状で上端部が逆四角錐状の逆錐状筒体からなっているとともに、前記ケーシング内の前記ホッパ部材の上端の開口面に対応する領域の略全域に、複数の封筒状バグフィルタが、それぞれの幅方向を前記ケーシング内の対向する２つの側面と略平行にして密な間隔で配置されていることを特徴とする請求項１または２に記載の集塵装置。
【請求項４】
ホッパ部材の上端の開口面は、ケーシングの内幅と略同じ幅を有していることを特徴とする請求項３に記載の集塵装置。
【請求項５】
サイクロン筒の粉塵排出口は下方に開放しており、前記サイクロン筒の下に、上面が開口するダストボックスが、その開口部を前記サイクロン筒の粉塵排出口に切離し可能に接続して配置されていることを特徴とする請求項１に記載の集塵装置。
【請求項６】
ダストボックスの内周面に、その周方向に間隔をおいて、サイクロン筒内において旋回空気流から分離され、慣性により旋回しながら前記ダストボックス内に入り込んだ粉塵の旋回流に抵抗を与える複数の旋回流打ち消し部材が設けられていることを特徴とする請求項５に記載の集塵装置。
【発明の詳細な説明】
【技術分野】
【０００１】
この発明は、サイクロン集塵とバグフィルタ集塵とを行なう集塵装置に関する。
【背景技術】
【０００２】
サイクロン集塵とバグフィルタ集塵とを行なう集塵装置には、サイクロン集塵機とバグフィルタ集塵機とを横に並べて配置したものと、バグフィルタ集塵機内にサイクロン集塵機を配置したものとがある。
【０００３】
サイクロン集塵機は、下端に粉塵排出口を有し、上端部に、内周面の接線付近の方向から内部に空気を吸引する吸気口が設けられたサイクロン筒の下端側または上端部に排気口を設けたものであり、前記排気口からの強制排気により、前記サイクロン筒内に前記吸気口から粉塵を含んだ空気を吸引し、前記サイクロン筒の内周面に沿って旋回する空気中の粗塵を遠心力により分離する。
【０００４】
また、バグフィルタ集塵機は、下端に開閉可能な粉塵排出口を有し、下端側に吸気口が設けられ、上端側に排気口が設けられたケーシング内にバグフィルタを配置したものであり、前記排気口からの強制排気により、前記ケーシング内に前記吸気口から粉塵を含んだ空気を吸引し、その空気中の残留粉塵を前記バグフィルタにより捕集する。
【０００５】
なお、このバグフィルタ集塵機には、風圧による形状の変化が無い剛性バグフィルタを用いたものと、伸縮性バグフィルタを用いたものとがあり、剛性バグフィルタを用いた集塵機では、バグフィルタが粉塵の付着により目詰まりしてその集塵性能が低下したときに、前記排気口からの強制排気を停止し、例えばバグフィルタに振動を与えて付着粉塵を払い落とすことにより前記バグフィルタを再生するようにしている（特許文献１参照）。
【０００６】
また、伸縮性バグフィルタを用いた集塵機では、バグフィルタの集塵性能が低下したときに、前記排気口からの強制排気を停止し、集塵中に風圧により膨らまされていたバグフィルタを収縮させて付着粉塵を剥離させることにより前記バグフィルタを再生するようにしている（特許文献２、３参照）。
【０００７】
そして、サイクロン集塵機とバグフィルタ集塵機とを横に並べて配置した集塵装置では、サイクロン集塵機のサイクロン筒の下端側に排気口を設けてその排気口にバグフィルタ集塵機の吸気口を接続し、前記サイクロン集塵機の吸気口に吸気側配管を接続し、前記バグフィルタ集塵機の排気口に排気側配管を接続している（特許文献４参照）。
【０００８】
また、バグフィルタ集塵機内にサイクロン集塵機を配置した集塵装置では、サイクロン集塵機のサイクロン筒の上端部の中央部に、下端を前記吸気口よりも下方において前記サイクロン筒内に連通させた排気筒を設けて排気口を形成し、このサイクロン集塵機を、バグフィルタ集塵機のケーシング内のバグフィルタ配置部の下方に、前記排気筒の上端を前記ケーシング内に連通させて配置し、前記サイクロン集塵機の吸気口に前記ケーシング外からその内部に導入した吸気側配管を接続し、前記バグフィルタ集塵機の排気口に排気側配管を接続している（特許文献５参照）。
【特許文献１】実開平７―７７２１号公報
【特許文献２】特開平１１―９０１４０号公報
【特許文献３】特開２００３―１８１２２２号公報
【特許文献４】特開平９―１７３７４２号公報
【特許文献５】実開平７―９４２１号公報
【発明の開示】
【発明が解決しようとする課題】
【０００９】
前記サイクロン集塵機とバグフィルタ集塵機とを横に並べて配置した集塵装置は、その配置面積（床面積）が非常に大きい
一方、バグフィルタ集塵機内にサイクロン集塵機を配置した集塵装置は、その配置面積は小さくてすむ。
【００１０】
しかし、この集塵装置は、バグフィルタ集塵機にサイクロン集塵機を内蔵させる条件でサイクロン集塵機とバグフィルタ集塵機の集塵能力をバランスさせなければならないため、サイクロン集塵とバグフィルタ集塵の両方の集塵能力を充分に活かすことが難しい。
【００１１】
しかも、この集塵装置は、バグフィルタの再生時に前記バグフィルタから落下した粉塵の一部がバグフィルタ集塵機内に配置されたサイクロン集塵機上に堆積するため、粉塵の排出効率が悪い。
【００１２】
この発明は、配置面積が小さくてすみ、しかもサイクロン集塵とバグフィルタ集塵の両方の集塵能力を十分に活かして効率の良い集塵を行なうことができるとともに、バグフィルタの再生時に前記バグフィルタから落下した粉塵を効率良く排出することができる集塵装置を提供することを目的としたものである。
【課題を解決するための手段】
【００１３】
この発明の集塵装置は、下端に粉塵排出口を有し、上端部に、内周面の接線付近の方向から内部に空気を吸引する吸気口が設けられたサイクロン筒と、上端部に排気口を有し、前記サイクロン筒の上方に配置されたケーシングと、上下端が開口するとともに下端から上端に向かって拡開する逆錐状筒体からなり、前記サイクロン筒の上端側に、前記サイクロン筒の内周面との間に上端が閉塞された環状空間を形成し、且つ下端を前記吸気口よりも下方において前記サイクロン筒内に連通させ、上端を前記ケーシング内に連通させて配置されたホッパ部材と、前記ケーシング内に配置されたバグフィルタとを備え、前記ケーシングの排気口からの強制排気により前記サイクロン筒内に前記吸気口から粉塵を含んだ空気を吸引し、前記サイクロン筒の内周面に沿って旋回する前記空気中の粗塵を遠心力により分離するサイクロン集塵と、前記サイクロン筒内から前記ホッパ部材内を通って前記ケーシング内に吸引された前記空気中の残留粉塵を前記バグフィルタにより捕集するバグフィルタ集塵とを行なうことを特徴とする。
【００１４】
この集塵装置においては、前記バグフィルタを、その一端の口部から内部に流入し、外面から外部に流出する空気流の風圧により緊張され、無風圧状態で自重により挫屈する可撓性フィルタとし、これらのバグフィルタを、その口部を下方に向けて前記ケーシング内に配置するのが望ましい。
【００１５】
また、この集塵装置においては、前記ケーシングを、平面形状が四角形で下面が開口する角筒状ケースとし、前記ホッパ部材を、下端部が逆円錐状で上端部が逆四角錐状の逆錐状筒体とするとともに、前記ケーシング内の前記ホッパ部材の上端の開口部に対応する領域の略全域に、複数の封筒状バグフィルタを、それぞれの幅方向を前記ケーシング内の対向する２つの側面と略平行にして密な間隔で配置するのが望ましい。
【００１６】
その場合は、前記ホッパ部材の上端の開口面の面積を、前記ケーシングの内幅と略同じにするのが好ましい。
【００１７】
また、この集塵装置においては、前記サイクロン筒の下端の粉塵排出口を下方に開放させ、前記サイクロン筒の下に、上面が開口するダストボックスを、その開口部を前記サイクロン筒の粉塵排出口に切離し可能に接続して配置するのが望ましい。
【００１８】
その場合は、前記ダストボックスの内周面に、その周方向に間隔をおいて、前記サイクロン筒内において旋回空気流から分離され、慣性により旋回しながら前記ダストボックス内に入り込んだ粉塵の旋回流に抵抗を与える複数の旋回流打ち消し部材を設けるのが好ましい。
【発明の効果】
【００１９】
この発明の集塵装置は、サイクロン筒の上方にケーシングを配置し、前記サイクロン筒の上端側に、上下端が開口するとともに下端から上端に向かって拡開する逆錐状筒体からなるホッパ部材を、その外周面と前記サイクロン筒の内周面との間に上端が閉塞された環状空間を形成し、且つ下端を前記吸気口よりも下方において前記サイクロン筒内に連通させ、上端を前記ケーシング内に連通させて配置し、前記ケーシング内にバグフィルタを配置したものであるため、その配置面積が小さくてすむ。
【００２０】
しかも、この集塵装置は、上記のような構成であるため、サイクロン集塵とバグフィルタ集塵の両方の集塵能力を十分に活かして効率の良い集塵を行なうことができるとともに、バグフィルタの再生時に前記バグフィルタから落下した粉塵を効率良く排出することができる。
【発明を実施するための最良の形態】
【００２１】
図１〜図３はこの発明の第１の実施例を示しており、図１及び図２は集塵装置の断面図及び分解斜視図である。
【００２２】
この集塵装置は、下端に粉塵排出口２を有し、上端部に、内周面の接線付近の方向から内部に空気を吸引する吸気口３が設けられたサイクロン筒１と、上端部に排気口５を有し、前記サイクロン筒１の上方に配置された密閉型ケーシング４と、上下端が開口するとともに下端から上端に向かって拡開する逆錐状筒体からなり、前記サイクロン筒１の上端側に、前記サイクロン筒１の内周面との間に上端が閉塞された環状空間を形成し、且つ下端を前記吸気口３よりも下方において前記サイクロン筒１内に連通させ、上端を前記ケーシング４内に連通させて配置されたホッパ部材８と、前記ケーシング４内に配置されたバグフィルタユニット９と、前記サイクロン筒１の下に配置されたダストボックス１６とを備えている。
【００２３】
前記サイクロン筒１は、上下端が開口し、下端から上端に向かって拡開する逆円錐状ホッパからなっており、その上端の外周に、前記ホッパ部材８の外周面に接する正方形状のフランジ部１ａが設けられ、下端に、上端が前記ホッパ内に連通し、下端がその下方に開放する垂直な円筒状の粉塵排出口２が設けられている。
【００２４】
このサイクロン筒１の吸気口３は、前記サイクロン筒１の上端部の周壁の一部に設けられており、前記サイクロン筒１の外周の一側にサイクロン筒内周面の接線方向と略平行に設けられた吸気側配管継手３ａ内に連通している。
【００２５】
前記ケーシング４は、平面形状が四角形で下面が開口する角筒状ケースからなっており、前記排気口５は、このケーシング４の一側面の上端部に設けられ、前記ケーシング４の外側に設けられた排気側配管継手５ａ内に連通している。
【００２６】
前記ケーシング４は、前記サイクロン筒１の上端のフランジ部１ａの外形と略同じ内幅を有しており、その下端部を前記フランジ部１ａの外側に嵌合されて気密状態に溶接され、前記サイクロン筒１の上側に配置されている。
【００２７】
前記ホッパ部材８は、下端部が逆円錐状で上端部が逆四角錐状の逆錐状筒体からなっており、その上端の開口面の幅は、前記ケーシング４の内幅と略同じに設定されている。なお、この実施例では、前記ホッパ部材８の下端に、上端がホッパ部材８内に連通し、下端がその下方に開放する垂直な円筒部８ａを設けている。
【００２８】
そして、このホッパ部材８は、その下端側をサイクロン筒１内に挿入し、上端部を前記サイクロン筒１の上端から前記ケーシング４内に突出させて、その上端の周縁を前記ケーシング４の内周面に気密状態に溶接され、このホッパ部材８の外周面と前記サイクロン筒１の内周面との間に上端が閉塞された環状空間を形成し、且つ下端を前記吸気口３よりも下方において前記サイクロン筒１内に連通させ、上端を前記ケーシング４内に連通させて配置されている。
【００２９】
また、前記ケーシング４内に配置されたバグフィルタユニット９は、ベースプレート１０に複数のバグフィルタ１２を支持させたものである。
【００３０】
前記複数のバグフィルタ１２は、その一端の口部から内部に流入し、外面から外部に流出する空気流の風圧により緊張され、無風圧状態で自重により挫屈する可撓性フィルタであり、例えば、ガラス繊維または樹脂繊維の不織布からなっている。
【００３１】
図３は前記バグフィルタ１２の断面図であり、（ａ）は風圧により緊張された状態、（ｂ）は自重により挫屈した状態を示している。
【００３２】
この複数のバグフィルタ１２は、前記ケーシング４の内幅よりも若干小さい幅を有する扁平な封筒状バグフィルタであり、前記空気流の風圧によるバグフィルタ１２の膨らみを平均化するために、両面の濾布を複数箇所においてフィルタ両側縁と平行な方向に縫合されている。図１及び図２において、１２ａは前記バグフィルタ１２の両面の濾布の縫合部を示している。
【００３３】
また、前記ベースプレート１０は、前記封筒状バグフィルタ１２の幅よりも僅かに大きい幅を有する四角形板からなっており、その外周縁部を除く領域に、前記封筒状バグフィルタ１２の口部に対応する細長形状の複数の通風孔１１（図３参照）が、密なピッチ、例えば前記封筒状バグフィルタ１２の膨らみ状態における両面間の厚さと同程度のピッチで互いに平行に設けられている。
【００３４】
そして、前記複数の封筒状バグフィルタ１２は、前記ベースプレート１０上に、各封筒状バグフィルタ１２の口部を前記ベースプレート１０の複数の通風孔１１にそれぞれ連通させて固定され、前記通風孔１１のピッチに対応した密な間隔で互いに平行に配設されるとともに、それぞれの上端同士を、集塵時、つまりバグフィルタ１２が前記空気流の風圧により緊張状態に膨らまされたときの各バグフィルタ１２の間隔を維持するための複数本の可撓性帯材１３により連結されている。
【００３５】
一方、前記ケーシング４内には、前記ホッパ部材８の上端よりも上方で、且つケーシング上面から下方に前記封筒状バグフィルタ１２の高さよりも充分に大きい距離をとった位置にフィルタユニット支持枠１４が設けられており、前記バグフィルタユニット９は、そのベースプレート１０の外周縁部を前記フィルタユニット支持枠１４上に気密状態で支持され、バネ等からなる図示しない押さえ部材により前記フィルタユニット支持枠１４に取外し可能に固定されている。
【００３６】
すなわち、前記複数の封筒状バグフィルタ１２は、前記ケーシング４内の前記ホッパ部材８の上端の四角形な開口面に対応する領域の略全域に、それぞれの封筒状バグフィルタ１２の幅方向を前記ケーシング４内の対向する２つの側面と略平行にして密な間隔で配置されている。
【００３７】
なお、前記ケーシング４の１つの側面には、開閉可能な密閉扉７を備えた点検窓６が設けられており、前記バグフィルタユニット９は、その封筒状バグフィルタ１２の耐用期間を経過したとき、または何らかの原因で封筒状バグフィルタ１２が破損したときに、前記点検窓６を利用して交換される。
【００３８】
また、この集塵装置は、例えば前記サイクロン筒１の外周部の４箇所を支持する４本の支脚１５を備えており、前記ダストボックス１６は、前記サイクロン筒１の下に、前記支脚１５の間から外部に引出し可能に配置されている。
【００３９】
前記ダストボックス１６は、前記サイクロン筒１の下端の粉塵排出口２と略同じ径を有し、上面が開口する円筒状ボックスであり、底面の４箇所に車輪１７を備えるとともに、上端部の外周に、このダストボックス１６の開口部を前記サイクロン筒１の粉塵排出口２に気密状態で切離し可能に接続するためのサイクロン筒接続手段１８を備えている。
【００４０】
なお、前記サイクロン筒接続手段１８は、例えば、前記サイクロン筒１の粉塵排出口２の下端部の周縁部に密着する環状のゴム部材からなっている。
【００４１】
そして、前記ダストボックス１６の内周面には、その周方向に間隔をおいて、例えば垂直な丸棒からなる複数の旋回流打ち消し部材１９が設けられている。
【００４２】
この集塵装置は、前記サイクロン筒１に設けられた吸気側配管継手３ａに粉塵を含んだ空気を吸引する吸気側配管（図示せず）を接続し、前記ケーシング４に設けられた排気側配管継手５ａにブロワを備えた排気側配管（図示せず）を接続して使用される。
【００４３】
この集塵装置は、前記排気側配管に設けられたブロワの運転により集塵装置内の空気を前記ケーシング４の排気口５から強制排気させ、集塵装置内に空気を通してその空気中の粉塵をサイクロン集塵とバグフィルタ集塵との２段集塵により除去するものであり、前記排気口５からの強制排気を開始すると、前記ケーシング４内に口部を下方に向けて配置されている複数のバグフィルタ１２が、その口部から内部に流入し、外面から外部に流出する空気流の風圧により緊張状態に膨らまされるとともに、前記吸気側配管内の粉塵を含んだ空気が、前記サイクロン筒１の吸気口３から前記サイクロン筒１の内周面と前記ホッパ部材８の外周面との間の上端が閉塞された環状空間に、前記サイクロン筒１の内周面の内周面の接線付近の方向に沿った吸引される。
【００４４】
この吸引された空気は、前記環状空間内を図１に矢線で示したように前記サイクロン筒１の内周面に沿って旋回しながら前記ホッパ部材８の下端に向かって吸引され、その間に、前記空気中の重量のある粗塵が遠心力により分離される。
【００４５】
前記空気中から遠心力により分離された粗塵は、慣性により旋回しながら前記サイクロン筒１内を落下し、その下端の粉塵排出口２内を通って前記ダストボックス１６内に入り込み、その内周面に周方向に間隔をおいて設けられた複数の旋回流打ち消し部材１９により旋回流に抵抗を与えられることにより、旋回流を打ち消されて前記ダストボックス１６内に堆積する。図１において、Ａは、前記サイクロン筒１内においてサイクロン集塵され、前記ダストボックス１６内に堆積した粗塵である。
【００４６】
また、前記環状空間内を旋回しながら粗塵をサイクロン集塵により除去された空気は、前記ホッパ部材８内にその下端の開口部から吸引され、このホッパ部材８内を通ってケーシング４内に吸引される。
【００４７】
前記ケーシング４内に吸引された空気は、このケーシング４内の複数のバグフィルタ１２にその口部から流入し、これらのバグフィルタ１２により図３（ａ）のように空気中の残留粉塵Ｂを集塵されてその外面から前記ケーシング４内の上端側に流出し、前記排気口５から前記排気側配管に吸引される。
【００４８】
すなわち、この集塵装置は、前記ケーシング４の排気口５からの強制排気により前記サイクロン筒１内に前記吸気口３から粉塵を含んだ空気を吸引し、前記サイクロン筒１の内周面に沿って旋回する空気中の粗塵を遠心力により分離するサイクロン集塵と、前記サイクロン筒１内から前記ホッパ部材８内を通って前記ケーシング４内に吸引された前記空気中の残留粉塵を前記複数のバグフィルタ１２により捕集するバグフィルタ集塵とを行なうものである。
【００４９】
また、この集塵装置は、前記ケーシング４内のバグフィルタ１２が粉塵の付着により目詰まりしてその集塵性能が低下したときに、前記排気口５からの強制排気を停止し、集塵中に風圧により膨張されていた前記バグフィルタ１２を自重により図３（ｂ）のように挫屈させて、そのフィルタ内面の付着粉塵Ｂを剥離させ、前記バグフィルタ１２を自己再生させる。
【００５０】
前記フィルタ内面から剥離した粉塵Ｂは、各バグフィルタ１２の口部から前記ケーシング４内に落下して前記ホッパ部材８により集められ、前記サイクロン筒１内を通してダストボックス１６内に排出される。
【００５１】
なお、前記バグフィルタ１２の再生中、つまり前記排気口５からの強制排気の停止中は集塵休止状態となるが、複数台の集塵装置を備えてこれらの集塵装置に前記吸気側配管及び排気側配管をそれぞれ流路切換え手段を介して接続し、前記複数台の集塵装置を交互に集塵稼動状態と集塵休止状態とに切換えるようにすることにより、空気清浄を停止すること無く前記バグフィルタ１２の再生を行なうことができる。
【００５２】
この集塵装置は、前記サイクロン筒１の上方にケーシング４を配置し、前記サイクロン筒１の上端側に、上下端が開口するとともに下端から上端に向かって拡開する逆錐状筒体からなるホッパ部材８を、その外周面と前記サイクロン筒１の内周面との間に上端が閉塞された環状空間を形成し、且つ下端を前記吸気口３よりも下方において前記サイクロン筒１内に連通させ、上端を前記ケーシング４内に連通させて配置し、前記ケーシング４内に複数のバグフィルタ１２を配置したものであるため、その配置面積が小さくてすむ。
【００５３】
しかも、この集塵装置は、上記のような構成であるため、前記サイクロン筒１からなるサイクロン集塵部と、前記ケーシング４内に複数のバグフィルタ１２を配置したバグフィルタ集塵部との集塵能力を、高いレベルでバランスさせることができ、したがって、サイクロン集塵とバグフィルタ集塵の両方の集塵能力を十分に活かして効率の良い集塵を行なうことができる。
【００５４】
さらに、この集塵装置は、バグフィルタ１２の再生時に、フィルタ内面から剥離した粉塵Ｂを、各バグフィルタ１２の口部から前記ケーシング４内に落下させて前記ホッパ部材８により集め、その粉塵を前記サイクロン筒１内を通して排出するものであるため、前記バグフィルタ１２の再生時に前記バグフィルタ１２から落下した粉塵を効率良く排出することができる。
【００５５】
また、この集塵装置は、前記複数のバグフィルタ１２を、その一端の口部から内部に流入し、外面から外部に流出する空気流の風圧により緊張され、無風圧状態で自重により挫屈する可撓性フィルタとし、これらのバグフィルタ１２を、その口部を下方に向けて前記ケーシング４内に配置しているため、前記バグフィルタ１２が粉塵の付着により目詰まりしてその集塵性能が低下したときに、前記ケーシング４の排気口５からの強制排気を停止するだけでフィルタ内面の付着粉塵Ｂを剥離させ、前記バグフィルタ１２を自己再生させることができる。
【００５６】
そして、この集塵装置は、前記バグフィルタ１２を強制排気の停止により自己再生する可撓性フィルタとしているため、剛性バグフィルタを用いた集塵機のように、バグフィルタの上方に、バグフィルタに振動等を与えるバグフィルタ再生機構を設ける必要は無く、したがって、前記ケーシング４の高さを必要最小限にし、装置全体の高さを低くすることができる。
【００５７】
また、この集塵装置においては、前記ケーシング４を、平面形状が四角形で下面が開口する角筒状ケースとし、前記ホッパ部材８を、下端部が逆円錐状で上端部が逆四角錐状の逆錐状筒体とするとともに、前記ケーシング４内の前記ホッパ部材８の上端の開口部に対応する領域の略全域に、複数の封筒状バグフィルタ１２を、それぞれの幅方向を前記ケーシング４内の対向する２つの側面と略平行にして密な間隔で配置しているため、バグフィルタ集塵部の濾過面積を大きくし、単位時間当たりの処理風量に対するバグフィルタ１２への粉塵の付着量を少なくすることができ、したがって、バグフィルタ１２の再生サイクルを長くし、稼動率を高くすることができる。
【００５８】
しかも、この集塵装置では、前記ホッパ部材８の上端の開口面の面積を、前記ケーシング４の内幅と略同じにしているため、前記バグフィルタ集塵部の濾過面積をさらに大きくし、稼動率をより高くすることができる。
【００５９】
また、この集塵装置においては、前記サイクロン筒１の下端の粉塵排出口２を下方に開放させ、前記サイクロン筒１の下に、上面が開口するダストボックス１６を、その開口部を前記サイクロン筒１の粉塵排出口２に切離し可能に接続して配置しているため、サイクロン集塵により分離した粗塵Ａと、バグフィルタ再生時に前記バグフィルタ１２から落下した粉塵Ｂを、前記サイクロン筒１内に残さずに前記ダストボックス１６内に排出することができる。
【００６０】
そして、この集塵装置では、前記ダストボックス１６の内周面に、その周方向に間隔をおいて、前記サイクロン筒１内において旋回空気流から分離され、慣性により旋回しながら前記ダストボックス１６内に入り込んだ粉塵の旋回流に抵抗を与える複数の旋回流打ち消し部材１９を設けているため、前記ダストボックス１６内の粉塵Ａの舞い上がりを防ぐことができる。
【００６１】
なお、前記ダストボックス１６は、前記バグフィルタ１２の再生後に、前記サイクロン筒１の粉塵排出口２から切離されて外部に引出され、内部の堆積粉塵（サイクロン集塵による粗塵Ａとバグフィルタ１２から剥離された粉塵Ｂ）を廃棄した後、再び前記サイクロン筒１の下に搬入されて前記サイクロン筒１の粉塵排出口２に接続される。
【００６２】
このダストボックス１６内の堆積粉塵の廃棄は、１回のバグフィルタ再生毎に行なっても、複数回のバグフィルタ再生毎に行なってもよい。
【００６３】
複数回のバグフィルタ再生毎にダストボックス１６内の堆積粉塵の廃棄する場合は、前記ダストボックス１６内にサイクロン集塵による粗塵Ａとバグフィルタ１２から剥離された粉塵Ｂとが堆積している状態で次の集塵を行なうことになるが、その場合も、前記サイクロン筒１内において旋回空気流から分離され、慣性により旋回しながら前記ダストボックス１６内に入り込んだ粉塵の旋回流が前記旋回流打ち消し部材１９により打ち消されるため、前記ダストボックス１６内の粉塵の舞い上がりを防ぐことができる。
【００６４】
上記第１の実施例の集塵装置は、ケーシング４を平面形状が四角形で下面が開口する角筒状ケースとし、ホッパ部材８を、下端部が逆円錐状で上端部が逆四角錐状の逆錐状筒体とするとともに、前記ケーシング４内の前記ホッパ部材８の上端の開口部に対応する領域の略全域に、複数の封筒状バグフィルタ１２を、それぞれの幅方向を前記ケーシング４内の対向する２つの側面と略平行にして密な間隔で配置したものであるが、前記ケーシング４とホッパ部材８及び複数のバグフィルタ１２は、他の形状にしてもよい。
【００６５】
図４はこの発明の第２の実施例を示す集塵装置の分解斜視図である。なお、この実施例の集塵装置は、ケーシング４とホッパ部材８及び複数のバグフィルタ１２の形状が上述した第１の実施例と異なるが、他の構成は同じであるから、対応するものに同符号を付し、同一のものについてはその説明を省略する。
【００６６】
この実施例の集塵装置は、ケーシング４を円筒状ケースとし、ホッパ部材８を、その下端の円筒部８ａを除く部分全体が逆円錐状の筒体とするとともに、前記ケーシング４内に、複数の通風孔（図示せず）を有する円板状のベースプレート１０をその外周縁をケーシング内周面に気密状態に固定して設け、このベースプレート１０の複数の通風孔にそれぞれ複数の円筒状バグフィルタ１２の口部を着脱可能に取付けたものであり、この実施例では、上記第１の実施例におけるサイクロン筒１の上端のフランジ部１ａを省略し、前記円筒状ケースからなるケーシング４の下端部の周縁を前記サイクロン筒１の上端の外側に嵌合して気密状態に溶接している。
【００６７】
なお、この実施例では、ケーシング４内に４つの円筒状バグフィルタ１２を配置しているが、バグフィルタ数は任意でよく、また口径の大きいバグフィルタを１つだけ配置してもよい。
【００６８】
また、上記第１及び第２の実施例では、ケーシング４の下端部をサイクロン筒１の上端の外側に嵌合して気密状態に溶接し、ホッパ部材８の上端の周縁を前記ケーシング４の内周面に気密状態に溶接することにより、このホッパ部材８の外周面と前記サイクロン筒１の内周面との間に上端が閉塞された環状空間を形成しているが、前記環状空間の上端は、サイクロン筒１の上端の内周面とホッパ部材８の外周面との間に環状の閉塞板を設けることにより閉塞してもよい。
【００６９】
さらに、上記第１及び第２の実施例では、サイクロン筒１の粉塵排出口２を除く部分を逆円錐状ホッパとしているが、前記サイクロン筒１は、逆円錐状ホッパ部の上端側に円筒部を形成したものとしてもよく、その場合は、前記環状空間の上端を、サイクロン筒１とホッパ部材８の上端の周縁同士を気密状態に溶接して閉塞してもよい。
【００７０】
また、上記第１及び第２の実施例では、逆錐状筒体からなるホッパ部材８の下端に円筒部８ａを設けているが、この円筒部８ａは省略してもよい。
【００７１】
さらにまた、上記第１及び第２の実施例では、複数のバグフィルタ１２を、その一端の口部から内部に流入し、外面から外部に流出する空気流の風圧により緊張され、無風圧状態で自重により挫屈する可撓性フィルタとしているが、複数のバグフィルタ１２を、例えば伸縮性を有する繊維の織布等からなり、その一端の口部から内部に流入し、外面から外部に流出する空気流の風圧により膨張され、無風圧状態で収縮する伸縮性フィルタとし、この伸縮性フィルタを、その口部を下方に向けてケーシング４内に配置してもよく、その場合も、前記排気口５からの強制排気を停止し、集塵中に風圧により膨らまされていたバグフィルタ１２を収縮させて付着粉塵Ｂを剥離させることにより前記バグフィルタ１２を自己再生させることができる。
【００７２】
なお、前記バグフィルタ１２は、上述した実施例の可撓性フィルタまたは前記伸縮性フィルタに限らず、風圧による形状の変化が無く、機械的振動や、圧縮空気のパルスジェットにより付着粉塵を剥離させて再生させる剛性フィルタとしてもよく、その場合は、この剛性フィルタを、その後部を上方に向けてケーシング４内に配置し、フィルタ外面で空気中の粉塵を捕集するようにしてもよい。
【００７３】
また、上記第１及び第２の実施例では、サイクロン筒１の粉塵排出口２を下方に開放させ、前記サイクロン筒１の下に、上面が開口するダストボックス１６を、その開口部を前記サイクロン筒１の粉塵排出口２に切離し可能に接続して配置しているが、前記サイクロン筒１の粉塵排出口２に開閉可能な蓋を設け、サイクロン集塵による粗塵とバグフィルタ１２から剥離された粉塵を前記粉塵排出口２内に一時的に蓄えさせ、その粉塵をダストボックス（旋回流打ち消し部材を備えないものでよい）内に排出するようにしてもよい。
【００７４】
なお、この場合は、前記粉塵排出口２の内周面に、その周方向に間隔をおいて、サイクロン筒１内において旋回空気流から分離され、慣性により旋回しながら前記粉塵排出口２内に入り込んだ粉塵の旋回流に抵抗を与える複数の旋回流打ち消し部材を設けるのが好ましく、このようにすることにより、前記粉塵排出口２内の粉塵の舞い上がりを防ぐことができる。
【図面の簡単な説明】
【００７５】
【図１】この発明の第１の実施例を示す集塵装置の断面図。
【図２】前記集塵装置の分解斜視図。
【図３】前記集塵装置におけるバグフィルタの風圧により緊張された状態と自重により挫屈した状態の断面図。
【図４】この発明の第２の実施例を示す集塵装置の分解斜視図。
【符号の説明】
【００７６】
１…サイクロン筒、２…粉塵排出口、３…吸気口、４…ケーシング、５…排気口、６…点検窓、８…ホッパ部材、９…バグフィルタユニット、１０…ベースプレート、１２…バグフィルタ、１６…ダストボックス、１９…旋回流打ち消し部材。
【図１】
2006043561.tif 000003
【図２】
2006043561.tif 000004
【図３】
2006043561.tif 000005
【図４】
2006043561.tif 000006